(57)【要約】【課題】両面で各々画像を表示する表示パネル及びこれを備えて軽薄短小化された表示装置を提供する。【解決手段】本発明による表示パネルは、第１表示板と、第１表示板より寸法が小さく第１表示板と対向配置された第２表示板と、を備え、第１表示板及び第２表示板は、前面表示領域と背面表示領域とに区分されて両面で画像を表示する。【選択図】図６
2007133401.tif 000002
【特許請求の範囲】
【請求項１】
第１表示板と、
前記第１表示板より寸法が小さく前記第１表示板と対向配置される第２表示板と、を備え、
前記第１表示板及び前記第２表示板は、前面表示領域と背面表示領域とに区分されて両面で画像を表示することを特徴とする表示パネル。
【請求項２】
前記前面表示領域は透過型で形成され、前記背面表示領域は反射型で形成されることを特徴とする請求項１に記載の表示パネル。
【請求項３】
前記背面表示領域は、前記第１表示板または前記第２表示板に反射層が形成されてなされることを特徴とする請求項２に記載の表示パネル。
【請求項４】
前記反射層は、アルミニウム（Ａｌ）または銀（Ａｇ）のような高反射率を有する素材を含んで形成されることを特徴とする請求項３に記載の表示パネル。
【請求項５】
前記第１表示板は背面に配置されて前記背面表示領域で画像を表示し、前記第２表示板は前面に配置されて前記前面表示領域で画像を表示することを特徴とする請求項１に記載の表示パネル。
【請求項６】
前記第２表示板は、絶縁基板と該絶縁基板上に形成されるカラーフィルターとを含み、
前記背面表示領域において、前記絶縁基板と前記カラーフィルターとの間に形成される反射層をさらに含むことを特徴とする請求項５に記載の表示パネル。
【請求項７】
前記第１表示板は、
絶縁基板と、
前記絶縁基板上に形成されたゲート線及びこれと連結されたゲート電極を含むゲート配線と、
前記ゲート配線を覆うゲート絶縁膜と、
前記ゲート絶縁膜上に形成されて前記ゲート電極と少なくとも一部が重なる半導体層と、
前記半導体層上に形成されて前記ゲート電極を中心に分離される抵抗性接触層と、
前記抵抗性接触層上に形成されて前記ゲート電極を中心に分離されるソース電極及びドレーン電極と、前記ソース電極と連結されて前記ゲート線と交差するデータ線とを含むデータ配線と、
前記データ配線上に形成されるカラーフィルターと、を含むことを特徴とする請求項５に記載の表示パネル。
【請求項８】
前記第２表示板は、前記背面表示領域において他の絶縁基板上に形成される反射層を含むことを特徴とする請求項７に記載の表示パネル。
【請求項９】
前記第１表示板は前面に配置されて前記前面表示領域で画像を表示し、前記第２表示板は背面に配置されて前記背面表示領域で画像を表示することを特徴とする請求項１に記載の表示パネル。
【請求項１０】
前記第１表示板は、
絶縁基板と、
前記絶縁基板上に形成されるゲート線及びこれと連結されたゲート電極を含むゲート配線と、
前記ゲート配線を覆うゲート絶縁膜と、
前記ゲート絶縁膜上に形成されて前記ゲート電極と少なくとも一部が重なる半導体層と、
前記半導体層上に形成されて前記ゲート電極を中心に分離される抵抗性接触層と、
前記抵抗性接触層上に形成されて前記ゲート電極を中心に分離されるソース電極及びドレーン電極と、前記ソース電極と連結されて前記ゲート線と交差するデータ線を含むデータ配線と、
前記データ配線上に形成されて前記ドレーン電極の一部を露出する複数の接触孔を有する保護膜と、を含み、
前記背面表示領域で前記保護膜上に形成される反射層をさらに含むことを特徴とする請求項９に記載の表示パネル。
【請求項１１】
前記保護膜と前記反射層との間に形成され、前記接触孔を通して前記ドレーン電極と連結される透明な導電物質で構成される画素電極をさらに含むことを特徴とする請求項１０に記載の表示パネル。
【請求項１２】
前記反射層は、前記接触孔を通して前記ドレーン電極と連結されて画素電極を形成することを特徴とする請求項１０に記載の表示パネル。
【請求項１３】
前記第１表示板は、
絶縁基板と、
前記絶縁基板上に形成されるゲート線及びこれと連結されるゲート電極を含むゲート配線と、
前記ゲート配線を覆うゲート絶縁膜と、
前記ゲート絶縁膜上に形成されて前記ゲート電極と少なくとも一部が重なる半導体層と、
前記半導体層上に形成されて前記ゲート電極を中心に分離される抵抗性接触層と、
前記抵抗性接触層上に形成されて前記ゲート電極を中心に分離されるソース電極及びドレーン電極と、前記ソース電極と連結されて前記ゲート線と交差するデータ線を含むデータ配線と、
前記データ配線上に形成されるカラーフィルターと、を含み、
前記背面表示領域で前記ゲート配線と同一層に形成される反射層をさらに含むことを特徴とする請求項９に記載の表示パネル。
【請求項１４】
前面表示領域と背面表示領域とに区分されて両面で画像を表示する表示パネルと、
前記表示パネルの背面に配置される導光板と、
前記導光板の側面に配置される光源ユニットと、
前記前面表示領域における前記導光板と前記表示パネルとの間に配置された光学シート類と、
前記前面表示領域における前記導光板の背面に配置される反射部材と、
前記表示パネル、前記導光板、前記光源ユニット、前記光学シート類、及び前記反射部材を収納して支持する支持部材と、を備えることを特徴とする表示装置。
【請求項１５】
前記前面表示領域は透過型で形成され、前記背面表示領域は反射型で形成されることを特徴とする請求項１４に記載の表示装置。
【請求項１６】
前記表示パネルは、第１表示板と該第１表示板より寸法が小さく該第１表示板と対向配置された第２表示板とを含み、
前記背面表示領域は、前記第１表示板または前記第２表示板に反射層が形成されてなされることを特徴とする請求項１５に記載の表示装置。
【請求項１７】
前記反射層は、アルミニウム（Ａｌ）または銀（Ａｇ）のような高反射率を有する素材を含んで形成されることを特徴とする請求項１６に記載の表示装置。
【請求項１８】
前記表示パネルの背面表示領域に対応する前記導光板の背面にはプリズムが形成されることを特徴とする請求項１４に記載の表示装置。
【請求項１９】
前記支持部材は、
前記表示パネルの周縁を支持する第１支持部材と、
前記第１支持部材と結合して前記導光板、前記光学シート類、前記反射部材、及び前記光源ユニットを収納支持する第２支持部材と、
前記第１支持部材及び前記第２支持部材と相互に結合して前記表示パネルを固定する第３支持部材をさらに含むことを特徴とする請求項１４に記載の表示装置。
【請求項２０】
前記第３支持部材には前記前面表示領域で前記表示パネルの前面を露出させる第１表示窓が形成され、
前記第２支持部材には前記背面表示領域で前記表示パネルの背面を露出させる第２表示窓が形成されることを特徴とする請求項１９に記載の表示装置。
【請求項２１】
前記表示パネルは、液晶表示パネルであることを特徴とする請求項１４に記載の表示装置。
【発明の詳細な説明】
【技術分野】
【０００１】
本発明は、表示パネル及びこれを備えた表示装置に関し、より詳しくは、両面で各々画像を表示する表示パネル及びこれを備えて軽薄短小化された表示装置に関する。
【背景技術】
【０００２】
近年、急速に発展している半導体技術を中心に小型化及び軽量化し、かつ性能がさらに向上した液晶表示装置（ＬＣＤ）のような表示装置の需要が爆発的に増えている。
液晶表示装置は、小型化、軽量化、及び低電力消費化などの利点を有し、既存のブラウン管（ＣＲＴ）の短所を克服できる代替手段として次第に注目され、現在は表示装置を要する携帯電話及びＰＤＡ（携帯情報端末）などのような小型製品だけでなく中大型製品のモニター及びＴＶなどにも装着されて用いられるなど、表示装置を要する殆ど全ての情報処理機器に装着されて用いられている。
【０００３】
携帯電話は使用者が便利に使うため、その多くは折畳み形で製造され、携帯電話の折畳み部の前後面に各々２つの表示パネルを装着したデュアル表示装置が広く使われている。
しかし、このように２つの表示パネルを用いる場合、携帯電話の全体的な厚さが厚くなって携帯に不便な問題があった。また、２つの表示パネルが用いられるため、構造が複雑で生産性が落ちるという問題点があった。
【発明の開示】
【発明が解決しようとする課題】
【０００４】
そこで、本発明は上記従来の問題点に鑑みてなされたものであって、本発明の目的は、軽薄短小化された表示装置を提供することにある。
【課題を解決するための手段】
【０００５】
上記目的を達成するためになされた本発明による表示パネルは、第１表示板と、前記第１表示板より寸法が小さく前記第１表示板と対向配置される第２表示板とを備え、前記第１表示板及び前記第２表示板は、前面表示領域と背面表示領域とに区分されて両面で画像を表示することを特徴とする。
前記前面表示領域は透過型に形成され、前記背面表示領域は反射型で形成されることが望ましい。
前記背面表示領域は、前記第１表示板または前記第２表示板に反射層が形成されてなされることが望ましい。
前記反射層は、アルミニウム（Ａｌ）また銀（Ａｇ）のような高反射率を有する素材を含んで形成されることが望ましい。
前記第１表示板は背面に配置されて前記背面表示領域で画像を表示し、前記第２表示板は前面に配置されて前記前面表示領域で画像を表示することが望ましい。
前記第２表示板は、絶縁基板と該絶縁基板上に形成されるカラーフィルターとを含み、前記背面表示領域において、前記絶縁基板と前記カラーフィルターとの間に形成される反射層をさらに含むことができる。
また、前記第１表示板は、絶縁基板と、前記絶縁基板上に形成されたゲート線及びこれと連結されたゲート電極を含むゲート配線と、前記ゲート配線を覆うゲート絶縁膜と、前記ゲート絶縁膜上に形成されて前記ゲート電極と少なくとも一部が重なる半導体層と、前記半導体層上に形成されて前記ゲート電極を中心に分離される抵抗性接触層と、前記抵抗性接触層上に形成されて前記ゲート電極を中心に分離されたソース電極及びドレーン電極と、前記ソース電極と連結されて前記ゲート線と交差するデータ線とを含むデータ配線と、前記データ配線上に形成されるカラーフィルターと、を含むことができる。
ここで、前記第２表示板は、前記背面表示領域において他の絶縁基板上に形成された反射層を含むことができる。
また、前記第１表示板は前面に配置されて前記前面表示領域で画像を表示し、前記第２表示板は背面に配置されて前記背面表示領域で画像を表示することができる。
この時、前記第１表示板は、絶縁基板と、前記絶縁基板上に形成されるゲート線及びこれと連結されたゲート電極を含むゲート配線と、前記ゲート配線を覆うゲート絶縁膜と、前記ゲート絶縁膜上に形成されて前記ゲート電極と少なくとも一部が重なる半導体層と、前記半導体層上に形成されて前記ゲート電極を中心に分離される抵抗性接触層と、前記抵抗性接触層上に形成されて前記ゲート電極を中心に分離されたソース電極及びドレーン電極と、前記ソース電極と連結されて前記ゲート線と交差するデータ線を含むデータ配線と、前記データ配線上に形成されて前記ドレーン電極の一部を露出する複数の接触孔を有する保護膜と、を含み、前記背面表示領域で前記保護膜上に形成される反射層をさらに含むことができる。
ここで、前記保護膜と前記反射層との間に形成され、前記接触孔を通して前記ドレーン電極と連結される透明な導電物質で構成される画素電極をさらに含むことができる。
また、前記反射層は、前記接触孔を通して前記ドレーン電極と連結されて画素電極を形成することができる。
また、前記第１表示板は、絶縁基板と、前記絶縁基板上に形成されるゲート線及びこれと連結されるゲート電極を含むゲート配線と、前記ゲート配線を覆うゲート絶縁膜と、前記ゲート絶縁膜上に形成されて前記ゲート電極と少なくとも一部が重なる半導体層と、前記半導体層上に形成されて前記ゲート電極を中心に分離されている抵抗性接触層と、前記抵抗性接触層上に形成されて前記ゲート電極を中心に分離されるソース電極及びドレーン電極と、前記ソース電極と連結されて前記ゲート線と交差するデータ線を含むデータ配線と、前記データ配線上に形成されるカラーフィルターと、を含み、前記背面表示領域で前記ゲート配線と同一層に形成される反射層をさらに含むことができる。
【０００６】
また、上記目的を達成するためになされた本発明による表示装置は、前面表示領域と背面表示領域とに区分されて両面で画像を表示する表示パネルと、前記表示パネルの背面に配置された導光板と、前記導光板の側面に配置される光源ユニットと、前記前面表示領域における前記導光板と前記表示パネルとの間に配置された光学シート類と、前記前面表示領域における前記導光板の背面に配置される反射部材と、前記表示パネル、前記導光板、前記光源ユニット、前記光学シート類、及び前記反射部材を収納して支持する支持部材と、を備えることを特徴とする。
前記前面表示領域は透過型で形成され、前記背面表示領域は反射型で形成されることが望ましい。
前記表示パネルは、第１表示板と該第１表示板より寸法が小さくて該第１表示板と対向配置された第２表示板とを含み、前記背面表示領域は、前記第１表示板または前記第２表示板に反射層が形成されてなされることが望ましい。
前記反射層は、アルミニウム（Ａｌ）または銀（Ａｇ）のような高反射率を有する素材を含んで形成されることが望ましい。
前記表示パネルの背面表示領域に対応する前記導光板の背面にはプリズムが形成されることが望ましい。
前記支持部材は、前記表示パネルの周縁を支持する第１支持部材と、
前記第１支持部材と結合して前記導光板、前記光学シート類、前記反射部材、及び前記光源ユニットを収納支持する第２支持部材と、前記第１支持部材及び前記第２支持部材と相互に結合して前記表示パネルを固定する第３支持部材をさらに含むことが望ましい。
前記第３支持部材には前記前面表示領域で前記表示パネルの前面を露出させる第１表示窓が形成され、前記第２支持部材には前記背面表示領域で前記表示パネルの背面を露出させる第２表示窓が形成されることが望ましい。
前記表示パネルは液晶表示パネルであることが望ましい。
これにより、両面で各々画像を表示する一つの表示パネルを用いて軽薄短小化された表示装置を提供することができる。
【発明の効果】
【０００７】
本発明によれば、両面で各々画像を表示する表示パネル及びこれを備えて軽薄短小化された表示装置を提供できる。
即ち、両面で各々画面が表示される一つの表示パネルを用いて折畳み形に製造される携帯電話の折畳み部の前後面に各々画面を表示することができる。
また、一つの表示パネルのみを用いるため、表示装置を軽薄短小化できて携帯性が向上できる。
また、一つの表示パネルのみを用いるため、構造が簡単で製造過程において生産性が向上する。
【発明を実施するための最良の形態】
【０００８】
以下、本発明による表示パネル及びこれを備えた表示装置を実施するための最良の形態の具体例を、図面を参照しながら詳細に説明する。
【０００９】
図面では、実施例として、５枚のマスク工程で形成された非晶質シリコン（ａ−Ｓｉ）薄膜トランジスタ（ＴＦＴ）が用いられた表示パネルが概略的に示されている。しかし、本発明は多様な形態に実現でき、ここで説明する実施例に限定されない。
また、図面では、実施例として小型表示装置、即ち、携帯電話に用いられる表示装置が概略的に示されている。このような本発明による実施例は、単に本発明を例示するためのものであり、本発明はこれに限定されない。
また、複数の実施例において、同じ構成を有する構成要素については同じ符号を用い、代表として第１実施例で説明し、その他の実施例では第１実施例と異なる構成について説明する。
【００１０】
本発明を明確に説明するために説明上不要な部分は省略し、明細書全体にわたって同一または類似する構成要素については同一参照符号を付ける。
また、図面において、複数の層及び領域を明確に示すため、厚さを拡大して示した。明細書全体にわたって類似する部分については同一の図面符号を付けた。層、膜、領域、板などの部分が他の部分の“上に”あるとする時、これは他の部分の“直ぐ上に”ある場合だけでなく、その中間に他の部分がある場合も含む。一方ある部分が他の部分の“直ぐ上に”あるとする時には中間に他の部分がないことを意味する。
【００１１】
図１は、本発明の第１実施例による表示パネルを示した斜視図であり、図２は、図１の要部断面図である。
【００１２】
図１に示したように、表示パネル２０は、第１表示板１００と、第１表示板１００より寸法が小さくて第１表示板１００に対向配置された第２表示板２００を含む。ここで、第１表示板１００は背面基板になり、第２表示板２００は前面基板になる。この時、表示パネル２０は、前面表示領域（Ｔ）と背面表示領域（Ｒ）に区分されて両画面で画像を表示する。ここで、表示パネル２０の前面表示領域（Ｔ）は透過型で形成され、背面表示領域（Ｒ）は反射型で形成される。
【００１３】
また、第２表示板２００と重ならない第１表示板１００上には駆動集積回路チップ２５が実装される。そしてこの部位には保護層２６が形成されて駆動集積回路チップ２５及び第１表示板１００を保護する。
【００１４】
図２を参照して表示パネルの内部構造を詳細に説明する。
本発明の第１実施例による表示パネル２０は、第１表示板１００、これと対向する第２表示板２００、及び第１表示板１００と第２表示板２００の間に形成される液晶分子を含んだ液晶層３００を含む。この時、第１及び第２表示板１００、２００には配向膜３０１、３０２が各々形成され、配向膜３０１、３０２は液晶層３００の液晶分子を第１表示板１００から第２表示板２００まで順次ねじれるように配向するツイストネマチック（ＴＮ）方式で配列でき、第１及び第２表示板１００、２００に対して垂直に配列できる。
【００１５】
ここには示されていないが、表示パネル２０は、第１及び第２表示板１００、２００の間に配置されて第１及び第２表示板１００、２００の間隔を維持するスペーサをさらに含むことができる。
【００１６】
まず、第１表示板１００について詳細に説明する。
ガラス、石英、セラミック、またはプラスチックなどの絶縁性材質を含んで形成された第１絶縁基板１１０上に、主に横方向に延びる複数のゲート線１２１が形成される。各ゲート線１２１は複数の部分が複数のゲート電極１２４を形成し、これらを含んでゲート配線を形成する。
また、図示していないが、第１絶縁基板１１０上には、ゲート線１２１と同一層に維持電極配線を形成することができる。
【００１７】
ゲート線１２１及びゲート電極１２４を含んだゲート配線は、Ａｌ、Ａｇ、Ｃｒ、Ｔｉ、Ｔａ、Ｍｏなどの金属またはこれらを含む合金などで形成される。図２に示した本発明の第１実施例によるゲート線１２１及びゲート電極１２４は、単一層で構成されるが、物理化学的特性に優れた高融点金属のＣｒ、Ｍｏ、Ｔｉ、Ｔａまたはこれらを含む合金の金属層と、光反射率が高く比抵抗が小さいアルミニウム（Ａｌ）系または銀（Ａｇ）系の金属層を含む多重層で構成することができる。その他にも、多様な金属または導電体でゲート線１２１及びゲート電極１２４を形成でき、同一エッチング条件でパターニングできる多層膜であれば、さらに望ましい。また、ゲート線１２１の側面は傾いて水平面に対する傾斜角は３０度乃至８０度の範囲内であるのが望ましい。
【００１８】
ゲート線１２１及びゲート電極１２４上には窒化ケイ素（ＳｉＮｘ）などで構成されるゲート絶縁膜１３０が形成される。
【００１９】
ゲート絶縁膜１３０上には、複数のデータ線１６１及びこれと連結された複数のソース電極１６５をはじめとして複数のドレーン電極１６６を含むデータ配線が形成される。各データ線１６１は、主に縦方向に延びてゲート線１２１と交差し、各ドレーン電極１６６に向かって複数の分枝を形成してソース電極１６５を構成する。ここで、ゲート電極１２４、ソース電極１６５、及びドレーン電極１６６が、薄膜トランジスタを構成する３電極となる。
【００２０】
データ線１６１、ソース電極１６５、及びドレーン電極１６６を含むデータ配線も、ゲート線１２１及びゲート電極１２４を含むゲート配線と同様にクロム、モリブデン、アルミニウム、またはこれらを含む合金などの導電物質で形成され、単一層または多重層で構成できる。
【００２１】
データ線１６１、ソース電極１６５、及びドレーン電極１６６の下には半導体１４０が形成される。非晶質シリコンなどで構成される半導体１４０は、各ゲート電極１２４、ソース電極１６６、及びドレーン電極１６７の間で薄膜トランジスタのチャンネル部となる。
【００２２】
半導体１４０とデータ線１６１、ソース電極１６５、及びドレーン電極１６６の間には、両者の接触抵抗を各々減少させるための抵抗性接触部材１５５、１５６が形成される。抵抗性接触部材１５５、１５６は、シリサイドやｎ型不純物が高濃度にドーピングされた非晶質シリコンなどで形成される。この中、島型の抵抗性接触部材１５６は、ゲート電極１２４を中心に他の抵抗性接触部材１５５と対向する。
【００２３】
データ線１６１、ソース電極１６５、及びドレーン電極１６６上には平坦化特性が優れて感光性を有する有機物質、またはプラズマ化学気相蒸着（ＰＥＣＶＤ）で形成されるａ−Ｓｉ：Ｃ：Ｏ、ａ−Ｓｉ：Ｏ：Ｆなどの低誘電率絶縁物質または窒化ケイ素などの無機絶縁物質などで構成される保護膜１７０が形成される。
【００２４】
保護膜１７０には、ドレーン電極１６６の少なくとも一部を露出させる複数の接触孔１７１が備えられる。
【００２５】
保護膜１７０上には複数の画素電極１８０が形成される。画素電極１８０はＩＴＯ（インジウム錫酸化物）やＩＺＯ（インジウム亜鉛酸化物）などのような透明導電体で形成される。
【００２６】
次に、第２表示板２００について詳細に説明する。
第１絶縁基板１１０と同様に、ガラス、石英、セラミックまたはプラスチックなどの絶縁性材質を含んで形成された第２絶縁基板２１０上に、第１表示板１００の画素電極１８０と対向する開口部を有し、互いに隣接する画素の間で漏れる光を遮断する遮光部材２２０が形成される。このような遮光部材２２０は、薄膜トランジスタのチャンネル部に入射する外部光を遮断するために、薄膜トランジスタに対応する位置にも形成される。遮光部材は、クロム、クロムオキシド、及びクロムナイトライドなどの単一またはこれらが組み合わされた多重の金属層で形成したり、または、光を遮断するために黒い色系統の顔料が添加された感光性有機物質で形成したりすることができる。ここで、黒い色系統の顔料としては、カーボンブラックやチタンオキシドなどを用いることができる。
【００２７】
ここで、第２絶縁基板２１０上の背面表示領域（Ｒ）では第１表示板１００の画素電極１８０と対応して反射層５０１が形成される。図２では反射層５０１が遮光部材２２０の下側に形成されたことを示したが、必ずしもこれに限定されることなく、遮光部材２２０の上側に形成されてもよい。反射層５０１はアルミニウムまたは銀のような高反射率を有する素材を含んで形成される。
【００２８】
遮光部材２２０が形成された第２絶縁基板２１０上には、三原色を有するカラーフィルター２３０が各々順次に配置される。この時、カラーフィルター２３０の色は必ずしも三原色に限定されず、一色以上で多様に構成できる。各カラーフィルター２３０の境界は遮光部材２２０上に位置するが、必ずしもこれに限定されることなく、互いに隣接するカラーフィルター２３０の周縁が互いに重なって漏れる光を遮断する遮光部材２２０のような機能を有してもよい。そして、背面表示領域（Ｒ）でカラーフィルター２３０は反射層５０１上にあるべきである。つまり、反射層５０１は第２絶縁基板２１０とカラーフィルター２３０の間に配置されるべきである。
【００２９】
遮光部材２２０とカラーフィルター２３０上には絶縁物質で構成される平坦化膜２５０が形成される。平坦化膜２５０は、カラーフィルター２３０を保護して第２表示板２００を全体的に平坦化し、主にアクリル系エポキシ材料を用いて形成される。
【００３０】
平坦化膜２５０上には画素電極１８０と共に液晶分子を駆動するための電界を形成し、ＩＴＯやＩＺＯなどのような透明な導電物質で構成される共通電極２８０が形成される。
【００３１】
このような構成によって、表示パネル２０は、前面表示領域（Ｔ）では第２表示板２００側から画像を見ることができ、背面表示領域（Ｒ）では第１表示板１００側から画像を見ることができる。即ち、必要に応じて表示パネル２０の両面で、全てまたは選択的に画像を表示することができる。
【００３２】
図３を参照して本発明の第２実施例による表示パネル２０を詳細に説明する。図３は、カラーフィルター１７５が第１表示板１００に形成されたＣＯＡ（ｃｏｌｏｒ  ｆｉｌｔｅｒ  ｏｎ  ａｒｒａｙ）方式の表示パネル２０を示している。
【００３３】
本発明の第２実施例による表示パネル２０においても、第１表示板１００は背面基板になって、第２表示板２００は前面基板になる。この時、表示パネル２０は前面表示領域（Ｔ）と背面表示領域（Ｒ）に区分されて両画面で画像を表示する。ここで、表示パネル２０の前面表示領域（Ｔ）は透過型で形成され、背面表示領域（Ｒ）は反射型で形成される。
【００３４】
第１表示板１００について詳細に説明する。
第１絶縁基板１１０上にゲート線１２１、ゲート電極１２４、ゲート絶縁膜１３０、半導体１４０、抵抗性接触部材１５５、１５６、及びデータ線１６１、ソース電極１６５、、ドレーン電極１６６を第１実施例と同様に形成する。
【００３５】
データ線１６１、ソース電極１６５、及びドレーン電極１６６上には三原色を有するカラーフィルター１７５が各々順次に配置される。この時、カラーフィルター１７５の色は必ずしも三原色に限定されることなく、一色以上で多様に構成することができる。
【００３６】
カラーフィルター１７５上には平坦化特性が優れて感光性を有する有機物質またはプラズマ化学気相蒸着（ＰＥＣＶＤ）で形成されるａ−Ｓｉ：Ｃ：Ｏ、ａ−Ｓｉ：Ｏ：Ｆなどの低誘電率絶縁物質または窒化ケイ素などの無機絶縁物質などで構成される保護膜１７０が形成される。
【００３７】
保護膜１７０とカラーフィルター１７５にはドレーン電極１６６の少なくとも一部を露出させる複数の接触孔１７１が備えられる。
【００３８】
保護膜１７０上には複数の画素電極１８０が形成される。画素電極１８０はＩＴＯやＩＺＯなどのような透明導電体で形成される。
【００３９】
次に、第２表示板２００について詳細に説明する。
第２絶縁基板２１０上に、第１表示板１００の画素電極１８０と対向する開口部を有し、互いに隣接する画素の間で漏れる光を遮断する遮光部材２２０が形成される。このような遮光部材２２０は薄膜トランジスタのチャンネル部に入射する外部光を遮断するために薄膜トランジスタに対応する位置にも形成される。
【００４０】
遮光部材２２０上には、画素電極１８０と共に液晶分子を駆動するための電界を形成し、ＩＴＯやＩＺＯなどのような透明な導電物質で構成される共通電極２８０が形成される。
【００４１】
ここで、背面表示領域（Ｒ）の共通電極２８０上には、第１表示板１００の画素電極１８０と対応して反射層５０２が形成される。反射層５０２は、アルミニウムまたは銀のような高反射率を有する素材を含んで形成される。図３では反射層５０２が共通電極２８０上に形成されたことを示したが、必ずしもこれに限られるものではない。従って、反射層５０２が共通電極２８０下に形成されてもよい。
【００４２】
また、図３では背面表示領域（Ｒ）において透明な導電物質で構成される共通電極２８０と、アルミニウムまたは銀を含んだ素材で形成された反射層５０２が各々形成されたが、必ずしもこれに限られるものではない。従って、背面表示領域（Ｒ）において透明な導電物質で構成される共通電極２８０を省略し、アルミニウムまたは銀を含んだ素材で形成された反射層５０２が共通電極２８０の代わりとして機能してもよい。
【００４３】
また、第１表示板１００に形成されたカラーフィルター１７５の構造によって遮光部材２２０は省略でき、遮光部材２２０と共通電極２８０の間に平坦化膜をさらに追加することもできる。
【００４４】
このような構成によって、カラーフィルター１７５が第１表示板１００に形成されたＣＯＡ方式の表示パネル２０も、前面表示領域（Ｔ）では第２表示板２００側から画像を見ることができ、背面表示領域（Ｒ）では第１表示板１００側から画像を見ることができる。即ち、必要に応じて表示パネル２０の両面で、全てまたは選択的に画像を表示することができる。
【００４５】
図４を参照して本発明の第３実施例による表示パネル２０を詳細に説明する。
本発明の第３実施例による表示パネル２０は、第１表示板１００と、第１表示板１００より寸法が小さくて第１表示板１００に対向配置された第２表示板２００を含む。ここで、第１表示板１００は前面基板になって、第２表示板２００は背面基板になる。この時、表示パネル２０は、前面表示領域（Ｔ）と背面表示領域（Ｒ）に区分されて両画面で画像を表示する。ここで、表示パネル２０の前面表示領域（Ｔ）は透過型で形成されて背面表示領域（Ｒ）は反射型で形成される。
【００４６】
第１表示板１００について詳細に説明する。
第１絶縁基板１１０上にゲート線１２１、ゲート電極１２４、ゲート絶縁膜１３０、半導体１４０、抵抗性接触部材１５５、１５６、データ線１６１、ソース電極１６５、ドレーン電極１６６、保護膜１７０、及び画素電極１８０を第１実施例と同様に形成する。
【００４７】
背面表示領域（Ｒ）の画素電極１８０上には反射層５０３が形成される。反射層５０３はアルミニウムまたは銀のような高反射率を有する素材を含んで形成される。図４では反射層５０３が画素電極１８０上に形成されたことを示したが、必ずしもこれに限られるものではない。従って、反射層５０３が画素電極１８０の下に形成されてもよい。
【００４８】
また、図４では背面表示領域（Ｒ）で透明な導電物質で構成される画素電極１８０と、アルミニウムまたは銀を含んだ素材で形成された反射層５０３が各々形成されたが、必ずしもこれに限られるものではない。従って、背面表示領域（Ｒ）で透明な導電物質で構成される画素電極１８０を省略し、アルミニウムまたは銀を含んだ素材で形成された反射層５０３が画素電極１８０の代わりとして機能してもよい。
【００４９】
第２表示板２００は、第２絶縁基板２１０上に、第１実施例と同様に形成した遮光部材２２０、カラーフィルター２３０、平坦化膜２５０、及び共通電極２８０を含む。ただし、第１実施例で背面表示領域（Ｒ）の第２絶縁基板２１０上に形成された反射層５０１（図２に図示）は省略される。
【００５０】
このような構成により、表示パネル２０の上下の面の位置を変更して前面表示領域（Ｔ）では第１表示板１００側から画像を見ることができ、背面表示領域（Ｒ）では第２表示板２００側から画像を見ることができる。即ち、必要に応じて表示パネル２０の両面で、全てまたは選択的に画像を表示することができる。
【００５１】
図５を参照して本発明の第４実施例による表示パネル２０を詳細に説明する。図５は、カラーフィルター１７５が第１表示板１００に形成されたＣＯＡ方式の表示パネル２０を示している。
【００５２】
本発明の第３実施例による表示パネル２０は、第１表示板１００と、第１表示板１００より寸法が小さくて第１表示板１００に対向配置された第２表示板２００を含む。ここで、第１表示板１００は前面基板になって、第２表示板２００は背面基板となる。この時、表示パネル２０は、前面表示領域（Ｔ）と背面表示領域（Ｒ）に区分されて両画面で画像を表示する。ここで、表示パネル２０の前面表示領域（Ｔ）は透過型で形成され、背面表示領域（Ｒ）は反射型で形成される。
【００５３】
第１表示板１００について詳細に説明する。
第１絶縁基板１１０上には、主に横方向に延びる複数のゲート線１２１が形成される。各ゲート線１２１は複数の部分が複数のゲート電極１２４を構成する。
【００５４】
また、背面表示領域（Ｒ）の第１絶縁基板１１０上には、ゲート線１２１及びゲート電極１２４を含むゲート配線と同じ層に反射層５０４が形成される。反射層５０４はアルミニウムまたは銀のような高反射率を有する素材を含んで形成される。
【００５５】
ゲート線１２１、ゲート電極１２４、及び反射層５０４上にゲート絶縁膜１３０を形成し、ゲート絶縁膜１３０上に半導体１４０、抵抗性接触部材１５５、１５６、データ線１６１、ソース電極１６５、及びドレーン電極１６６を第１実施例と同様に形成する。
【００５６】
データ線１６１、ソース電極１６５、及びドレーン電極１６６上には三原色を有するカラーフィルター１７５が各々順次に配置される。この時、カラーフィルター１７５の色は必ずしも三原色に限定されるのではなく、一色以上で多様に構成できる。
【００５７】
カラーフィルター１７５上には、平坦化特性が優れていて感光性を有する有機物質またはプラズマ化学気相蒸着で形成されるａ−Ｓｉ：Ｃ：Ｏ、ａ−Ｓｉ：Ｏ：Ｆなどの低誘電率絶縁物質または窒化ケイ素などの無機絶縁物質などで構成される保護膜１７０が形成される。
【００５８】
保護膜１７０とカラーフィルター１７５には、ドレーン電極１６６の少なくとも一部を露出させる複数の接触孔１７１が備えられる。
【００５９】
保護膜１７０上には複数の画素電極１８０が形成される。画素電極１８０はＩＴＯやＩＺＯなどのような透明導電体で形成される。
【００６０】
第２表示板は、第２絶縁基板２１０上に形成された遮光部材２２０及び共通電極２８０を含む。ここで、第１表示板１００に形成されたカラーフィルター１７５の構造によって遮光部材２２０は省略でき、遮光部材２２０と共通電極２８０の間に平坦化膜をさらに追加することもできる。
【００６１】
このような構成により、カラーフィルター１７５が第１表示板１００に形成されたＣＯＡ方式の表示パネル２０も、表示パネル２０の上下の面の位置を変更して、前面表示領域（Ｔ）で第１表示板１００側から画像を見ることができ、背面表示領域（Ｒ）で第２表示板２００側から画像を見ることができる。即ち、必要に応じて表示パネル２０の両面で、全てまたは選択的に画像を表示できる。
【００６２】
図６は、上述した本発明の多様な実施例による表示パネル２０を備えた表示装置９００を示す。図６では折畳み型携帯電話に用いられる表示装置を一実施例として説明する。また、図６には表示パネル２０として液晶表示パネルを示している。
【００６３】
図６に示したように、表示装置９００は、大きく、光を供給するバックライトアセンブリー７０と、光の提供を受けて画像を表示する表示パネル２０を含む。その他に、表示装置９００は、表示パネル２０をはじめとする各部品を固定支持するための支持部材６０、７１、７５を含み、その他、必要な部分をさらに含むことができる。ここで、支持部材はバックライトアセンブリー７０を構成する第１支持部材７１及び第２支持部材７５と、表示パネル２０をバックライトアセンブリー７０上に固定支持する第３支持部材６０を含む。
【００６４】
図６には第１支持部材７１と第２支持部材７５を全て用いる例を示したが、これは単に本発明の例示であり、本発明がこれに限られるものではない。従って、第１支持部材７１及び第２支持部材７５のうち、少なくとも一つの支持部材のみを使用すれば十分な場合もある。
【００６５】
また、表示装置９００は、表示パネル２０と印刷回路基板４０を連結する可撓性印刷回路膜（ＦＰＣ）４１、可撓性印刷回路膜４１と連結された表示パネル２０の一側に実装されて表示パネル２０を制御する駆動集積回路チップ２５をさらに含む。ここで、駆動集積回路チップ２５は保護層２６で囲まれる。図６では便宜上可撓性印刷回路膜４１を切断して示したが、実際には連結されている。
【００６６】
表示パネル２０は前面表示領域（Ｔ）と背面表示領域（Ｒ）に区分される。ここで、前面表示領域（Ｔ）は透過型で形成され、背面表示領域（Ｒ）は反射型で形成される。
【００６７】
表示パネル２０の前面表示領域（Ｔ）は背面表示領域（Ｒ）より面積が大きい。表示装置９００は、特に、折畳み型携帯電話用に用いることができるが、表示パネル２０の前面表示領域（Ｔ）は携帯電話の折畳みの内面に向かい、表示パネル２０の背面表示領域（Ｒ）は携帯電話の折畳みの外面に向かうように配置される。従って、折畳みを閉じた状態では画面の寸法が小さい表示パネル２０の背面表示領域（Ｒ）を通して時刻など比較的に少量の情報を表示ことができ、相手と通話する場合には、折畳みを開いて画面の寸法が大きい表示パネル２０の前面表示領域（Ｔ）で比較的に多量の情報を表示することができる。
【００６８】
印刷回路基板４０は、可撓性印刷回路膜４１を通して表示パネル２０に信号を伝送する。また、印刷回路基板４０の端部には携帯電話コネクタ４５が実装される。印刷回路基板４０は、携帯電話コネクタ４５を通して携帯電話用折畳み窓の開閉に伴う信号の印加を受ける。
【００６９】
バックライトアセンブリー７０は、光を発生する光源ユニット７６、光源ユニット７６から発生した光を表示パネル２０にガイドする導光板７４、導光板７４の背面に配置された反射部材７９、そして導光板７４と表示パネル２０の間に配置されて輝度を向上させて光をさらに均一に拡散する光学シート類７２を含む。また、これらは第１支持部材７１及び第２支持部材７５によって収納固定される。
【００７０】
図６には光源ユニット７６として光源用回路基板７６２上に実装された発光ダイオード（ＬＥＤ）７６１を示したが、これは単に本発明を例示するためであり、本発明がこれに限られるものではない。従って、発光ダイオード７６１をモジュール化した線光源または面光源を用いることもできる。また、発光ダイオード７６１の数を３つ示したが、これは単に本発明を例示するためであり、本発明はこれに限らない。従って、必要に応じて発光ダイオード７６１の数を変更できる。光源用回路基板７６２は印刷回路基板４０と連結されて、これから光源制御信号の印加を受けて発光ダイオード７６１を駆動する。
【００７１】
導光板７４は、強度が高くて容易に変形及び破れ難く、透明で透過率が良いポリメチルメタクリレート（ＰＭＭＡ）またはポリカーボネート（ＰＣ）を含んだ材質で形成される。ここで、表示パネル２０の背面表示領域（Ｒ）と対応する、即ち、表示パネル２０の背面表示領域（Ｒ）と重なる導光板７４の背面には、図６の拡大円で示したように、プリズム７４５が形成される。従って、表示パネル２０の背面表示領域（Ｒ）で表示される画像が有する光の効率を向上させることができる。
【００７２】
図７に示したように、第３支持部材６０は、第１支持部材７１及び第２支持部材７５と結合して表示パネル２０をバックライトアセンブリー７０上に固定させる。ここで、第３支持部材６０には、表示パネル２０の前面、特に表示パネル２０の前面表示領域（Ｔ）を外部に露出させる第１表示窓６０１が形成される。そして、第２支持部材７５には表示パネルの背面表示領域を外部に露出させる第２表示窓７５１が形成される。
【００７３】
光学シート類７２及び反射部材７９は、表示パネル２０の前面表示領域（Ｔ）と対応する大きさの面積を有する。即ち、表示パネル２０の背面表示領域（Ｒ）は光学シート類７２及び反射部材７９と重ならない。従って、表示パネル２０の背面表示領域（Ｒ）で表示される画面を第２支持部材７５の第２表示窓７５１を通して外部から見ることができる。
このような構成によって、表示装置９００は、両面で各々画面が表示される一つの表示パネル２０を用いて折畳み形に製造される携帯電話の折畳み部の前後面に各々画面を表示することができる。
【００７４】
従って、携帯電話の折畳み部が閉じられた状態で折畳み部の後面、即ち、外向面側に表示される画像は、外部光を利用して表示パネル２０の背面表示領域（Ｒ）で形成される。外部光を利用できない暗い室内や暗室では、バックライトアセンブリー７０の光源ユニット７６を駆動して照射された光を、導光板７４を通して伝達されることを利用して表示パネル２０の背面表示領域（Ｒ）で画像が形成される。また、携帯電話の折畳み部が開かれた状態で折畳み部の前面、即ち、内向面側に表示される画像は、バックライトアセンブリー７０の光源ユニット７６を駆動して照射された光を、導光板７４を通して伝達されることを利用して表示パネル２０の前面表示領域（Ｔ）で形成される。
【００７５】
このように、一つの表示パネル２０のみを用いるため、表示装置９００の厚さを最少化することができ、携帯性を向上することができる。即ち、表示装置９００を軽薄短小化することができる。また、一つの表示パネル２０のみを用いるため、構造が簡単であり、製造過程における生産性が向上する。
【００７６】
以上、本発明を説明したが、特許請求の範囲の概念と範囲を逸脱しない限り、多様な修正及び変形が可能であるということを本発明の属する技術分野に従事する者は容易に理解することができる。
【図面の簡単な説明】
【００７７】
【図１】本発明の第１実施例による表示パネルの斜視図である。
【図２】本発明の第１実施例による表示パネルの要部断面図である。
【図３】本発明の第２実施例による表示パネルの要部断面図である。
【図４】本発明の第３実施例による表示パネルの要部断面図である。
【図５】本発明の第４実施例による表示パネルの要部断面図である。
【図６】図１の表示パネルを備えた表示装置の分解斜視図である。
【図７】図６の表示装置の断面図である。
【符号の説明】
【００７８】
２０    表示パネル
２５    駆動集積回路チップ
２６    保護層
４０    印刷回路基板
４１    可撓性印刷回路膜（ＦＰＣ）
４５    携帯電話コネクタ
６０、７１、７５    支持部材
７０    バックライトアセンブリー
７２    光学シート類
７４    導光板
７６    光源ユニット
７９    反射部材
１００、２００    表示板
１１０、２１０    絶縁基板
１２１    ゲート線
１２４    ゲート電極
１３０    ゲート絶縁膜
１４０    半導体
１５５、１５６    抵抗性接触部材
１６１    データ線
１６５    ソース電極
１６６    ドレーン電極
１７０    平坦な保護膜（下側）
１７１    接触孔
１７５、２３０    カラーフィルター
１８０    画素電極
２２０    遮光部材
２５０    平坦化膜（上側）
２８０    共通電極
３００    液晶層
３０１、３０２    配向膜
５０１、５０２、５０３、５０４    反射層
６０１、７５１    表示窓
７４５    プリズム
７６１    発光ダイオード（ＬＥＤ）
７６２    光源用回路基板
９００    表示装置
【図１】
2007133401.tif 000003
【図２】
2007133401.tif 000004
【図３】
2007133401.tif 000005
【図４】
2007133401.tif 000006
【図５】
2007133401.tif 000007
【図６】
2007133401.tif 000008
【図７】
2007133401.tif 000009